(57)【要約】【課題】  加工を容易かつ迅速に行い、生産力および歩留まりを増進することを可能にするレーザーダイオードの光学パッケージを提供する【解決手段】  レーザーダイオードの光学パッケージ４０は、キャップ２０および光学レンズ３０を備える。キャップ２０は、底面に開口部２１を有し、頂面に貫通孔２２を有する。光学レンズ３０は、外径がキャップ２０の内径に対応するようにあらかじめ成形研磨される。光学パッケージは、光学レンズ３０をキャップ２０の底面の開口部２１から所定の高さまで持ち上げ、そののちキャップ２０内に固定することによって構成される。【選択図】  図３
0003160265.tif 000002
【実用新案登録請求の範囲】
【請求項１】
底面に開口部を有し、頂面に貫通孔を有するキャップと、
光学レンズと、
を備え、
前記光学レンズは、外径が前記キャップの内径に対応するようにあらかじめ成形研磨され、前記キャップの底面の前記開口部から所定の高さまで持ち上げられ、前記キャップ内に固定されることを特徴とするレーザーダイオードの光学パッケージ。
【請求項２】
前記キャップは、金属から構成された円形ケースであることを特徴とする請求項１に記載のレーザーダイオードの光学パッケージ。
【請求項３】
前記光学レンズは、平面レンズであることを特徴とする請求項１に記載のレーザーダイオードの光学パッケージ。
【請求項４】
前記光学レンズは、曲面レンズであることを特徴とする請求項１に記載のレーザーダイオードの光学パッケージ。
【請求項５】
前記光学レンズは、球面レンズであることを特徴とする請求項１に記載のレーザーダイオードの光学パッケージ。
【請求項６】
前記光学レンズは、接着、圧入および高周波溶着のうちのいずれか一つによって前記キャップ内に固定されることを特徴とする請求項１に記載のレーザーダイオードの光学パッケージ。
【考案の詳細な説明】
【技術分野】
【０００１】
本考案は、レーザーダイオードの光学パッケージに関し、詳しくはあらかじめ成形されたキャップ上の光学レンズをキャップの底部から内部に装着することによって構成されるパッケージに関するものである。
【背景技術】
【０００２】
レーザーダイオード（ＬＤ）が世に登場して以来、光通信、光データ記録および光データ保存などの領域に応用されることになった。レーザーダイオード（ＬＤ）は端面発光型および面発光型の二種類がある。そのうちの面発光型ＬＤは、ほこりなどが入ったり、環境温度変化に伴って性能に影響を与えたりするという現象を防止し、品質の安定度を確保するために、パッケージングが必要である。
【０００３】
従来のＬＤパッケージング方法は、図１に示したＴＯ−ＣＡＮ構造を採用することである。ＬＤパッケージ１０Ａは、基座１１、複数の電気的接続端子１２、光センサー１３、レーザー器１４、キャップ１５および球面光学レンズ１６から構成される。このような構造は、米国特許第５，８３５，５１４号などの先行技術により提示された。
【０００４】
図２に示すように、別の一つのＴＯ−ＣＡＮ構造を採用した従来のＬＤパッケージ１０Ｂにおいて、キャップ１５上の光学レンズ１７は平面レンズである。
上述したＴＯ−ＣＡＮ構造上のキャップ１５は、基座１１上の電子部品を保護することが目的である。かつ電子部品に生じた光を放散させるには金属製キャップの頂面に開口部１５１を設け、開口部１５１上に光学レンズ１６または光学レンズ１７を配置する必要がある。
【０００５】
従来の光学レンズの製法は、液体ガラスを型に注入する方式によってキャップ１５の開口部１５１上に液体ガラスを固化させることである。しかしながらこのような加工方法は手間がかかるだけでなく、生産力および歩留まりを高めることができない。また液体ガラスを光学レンズに成形する方法は、特注、少量および多様化などの需要に応じにくい。従って、従来の光学レンズの成形方法には改善の余地がある。
【先行技術文献】
【特許文献】
【０００６】
【特許文献１】米国特許第５，８３５，５１４号明細書
【考案の概要】
【考案が解決しようとする課題】
【０００７】
本考案の主な目的は、加工を容易かつ迅速に行い、生産力および歩留まりを増進することを可能にするレーザーダイオードの光学パッケージを提供することである。
本考案のもう一つの目的は、特注、少量および多様化の需要に応じ、製品の信頼度を増進することを可能にするレーザーダイオードの光学パッケージを提供することである。
【課題を解決するための手段】
【０００８】
上述の目的を達成するために、本考案によるレーザーダイオードの光学パッケージは、キャップおよび光学レンズを備える。
キャップは、底面に開口部を有し、頂面に貫通孔を有する。その特徴は次のとおりである。
光学レンズは、外径がキャップの内径に対応するようにあらかじめ成形研磨される。光学パッケージは、光学レンズをキャップの底面の開口部から所定の高さまで持ち上げ、そののちキャップ内に固定することによって構成される。
【図面の簡単な説明】
【０００９】
【図１】従来のＴＯ−ＣＡＮレーザーダイオードを示す模式図である。
【図２】もう一つの従来のＴＯ−ＣＡＮレーザーダイオードを示す模式図である。
【図３】本考案の一実施形態によるレーザーダイオードの光学パッケージを示す分解図である。
【図４】本考案の一実施形態によるレーザーダイオードの光学パッケージを示す断面図である。
【図５】本考案の別の一実施形態によるレーザーダイオードの光学パッケージを示す断面図である。
【図６】本考案のまた別の一実施形態によるレーザーダイオードの光学パッケージを示す断面図である。
【考案を実施するための形態】
【００１０】
以下、本考案によるレーザーダイオードの光学パッケージを図面に基づいて説明する。
（一実施形態）
図３および図４に示すように、本考案の一実施形態によるレーザーダイオードの光学パッケージは、キャップ２０および光学レンズ３０を備える。
【００１１】
キャップ２０は、金属プレス加工によって成形された円形ケースであるが、これに限らない。キャップ２０は底面に開口部２１を有し、頂面に貫通孔２２を有する。本実施形態において、キャップ２０は周縁に環状突出面２３を有するが、これに限らない。以上の構造は先行技術（Prior Art）であるため、本考案の登録請求範囲ではない。詳細な説明を省略する。
【００１２】
本考案の主な特徴は次のとおりである。本考案は、液体ガラスによる成形加工方法の代わりにサイズを一定した光学レンズ３０を研磨し、そののち研磨した光学レンズ３０をキャップ２０の底面の開口部２１から所定の高さまで持ち上げ、続いて接着、圧入または高周波溶着などの加工法によってキャップ２０内に固定することによって光学パッケージ４０を構成する。本実施形態において、光学レンズ３０は平面レンズであるが、これに限らない。図５に示すように光学レンズ３０ａは曲面レンズを採用することが可能である。図６に示すように光学レンズ３０ｂは球面レンズを採用することが可能である。光学機能は需要に応じ、あらかじめ配置することが可能であるため、詳しく説明を省略する。
【００１３】
本考案は、あらかじめ成形された光学レンズを研磨し、そののち研磨した光学レンズをキャップ２０の底面の開口部２１から装着し、続いてキャップ２０内に固定することによって光学機能を一定した光学パッケージ４０を構成するため、液体ガラス加工によって光学レンズを成形する方法の欠点を解決することが可能なだけでなく、加工を容易かつ迅速に行い、歩留まり、生産力および信頼度を増進することが可能である。
【符号の説明】
【００１４】
２０  ・・・キャップ、
２１  ・・・開口部、
２２  ・・・貫通孔、
３０  ・・・光学レンズ、
３０ａ・・・光学レンズ、
３０ｂ・・・光学レンズ、
４０  ・・・光学パッケージ。
【図１】
0003160265.tif 000003
【図２】
0003160265.tif 000004
【図３】
0003160265.tif 000005
【図４】
0003160265.tif 000006
【図５】
0003160265.tif 000007
【図６】
0003160265.tif 000008